(57)【要約】【課題】  良好なスイングに矯正するゴルフのスイング矯正装着具を提供する。【解決手段】  本発明に係るゴルフのスイングを矯正する装着具は、良好なスイングにおいてボールのインパクト時に形成される両腕と胴体で囲まれる概三角形状の間隙を、少なくとも各上腕の概中央部及び各下腕の概中央部と当接することにより維持する本体１２と、各上腕の概中央部と対応する本体部分との当接を維持する上腕用の第１の固定具１４Ｌ、１４Ｒと、各下腕の概中央部と対応する本体部分との当接を維持する下腕用の固定具１６Ｌ、１６Ｒとを有することを特徴とする。【選択図】図１
2006262992.tif 000002
【特許請求の範囲】
【請求項１】
ゴルフのスイングを矯正する装着具であって、
良好なスイングにおいてボールのインパクト時に形成される両腕と胴体で囲まれる概三角形状の間隙を、少なくとも各上腕の概中央部及び各下腕の概中央部と当接することにより維持する本体と、
各上腕の概中央部と対応する本体部分との当接を維持する上腕用の固定具と、
各下腕の概中央部と対応する本体部分との当接を維持する下腕用の固定具とを有することを特徴とするゴルフのスイング矯正装着具。
【請求項２】
上記本体は上記間隙に配置されて両腕の内側と側面で当接する概台形形状の板部材であって、
上腕用及び下腕用固定具は上腕の概中央部及び下腕の概中央部に対して装脱着可能で伸縮自在なベルト状部材であることを特徴とする請求項１に記載のスイング矯正装着具。
【請求項３】
両腕の内側と当接する上記本体の側面は、上記本体の外側に向かって凸に僅かに長手方向に湾曲する曲面で構成されていることを特徴とする請求項２に記載のスイング矯正装着具。
【請求項４】
上記本体は、上記間隙を形成する胴体部分と当接するための上記本体外側に向かって凸に長手方向に湾曲した外縁部を有することを特徴とする請求項２または３のいずれかに記載のスイング矯正装着具。
【請求項５】
上記本体は、弾性部材から作製されていることを特徴とする請求項２〜４のいずれか一に記載のスイング矯正装着具。
【請求項６】
上記本体は、折りたたみ可能に構成されていることを特徴とする請求項２〜５のいずれか一に記載のスイング矯正装着具。
【請求項７】
上記本体は、分割可能に構成されていることを特徴とする請求項２〜６のいずれか一に記載のスイング矯正装着具。
【発明の詳細な説明】
【技術分野】
【０００１】
本発明は、ゴルフのスイングを矯正するための装着具に関する。
【背景技術】
【０００２】
ゴルフの理想的なスイング中は、両肘の間の距離が略一定に保たれつつ、インパクト時に引き手（飛球方向側の手）の甲が飛球方向に向くように手首が固定された状態で維持され、肘が略伸ばされている。簡単に言えば、インパクト時の両腕と胴体で囲まれる概三角形状の間隙を略維持するようなスイングが理想である。
【０００３】
このような理想的なスイングを習得するために、スイングを矯正する装着具が存在する。例えば、両上腕の間を一定の距離に保つことにより両肘の間の距離を略一定に保つスイング矯正具として特許文献１のものがある。これは、両上腕間に挟まれたボールに各上腕をバンドで拘束するものである。
【特許文献１】登録実用新案第３０７９７３３号
【発明の開示】
【発明が解決しようとする課題】
【０００４】
しかしながら、上述のスイング矯正具は、スイング中、上腕間の距離を一定に保つものの肘が大きく曲がる可能性がある。また、手首は固定されていないために、引き手の甲がインパクト時に飛球方向に向かないことがある。そのために、良好なスイングでボールを打つことができない場合がある。
【０００５】
そこで、本発明は、両肘の間の距離が略一定に保たれつつ、インパクト時に引き手（飛球方向側の手）の甲が飛球方向に向くように手首が固定された状態で維持され、肘が略伸ばされている良好なスイングに矯正するスイング矯正装着具を提供することを目的とする。  
【課題を解決するための手段】
【０００６】
上記目的を達成するために、本発明に係るスイング矯正装着具の一態様は、
良好なスイングにおいてボールのインパクト時に形成される両腕と胴体で囲まれる概三角形状の間隙を、少なくとも各上腕の概中央部及び各下腕の概中央部と当接することにより維持する本体と、
各上腕の概中央部と対応する本体部分との当接を維持する上腕用の固定具と、
各下腕の概中央部と対応する本体部分との当接を維持する下腕用の固定具とを有することを特徴とする。
【０００７】
別の態様のスイング矯正装着具は、
上記本体は上記間隙に配置されて両腕の内側と側面で当接する概台形形状の板部材であって、
上腕用及び下腕用固定具は上腕の概中央部及び下腕の概中央部に対して装脱着可能で伸縮自在なベルト状部材であることを特徴とする。
【０００８】
また、別の態様のスイング矯正装着具において、
両腕の内側と当接する上記本体の側面が、上記本体の外側に向かって凸に僅かに長手方向に湾曲する曲面で構成されている。
【０００９】
さらに、別の態様のスイング矯正装着具において、
上記本体が、上記間隙を形成する胴体部分と当接するための上記本体外側に向かって凸に長手方向に湾曲した外縁部を有する。
【００１０】
さらにまた、別の態様のスイング矯正装着具において、
上記本体が、弾性部材から作製されている。
【００１１】
加えて、別の態様のスイング矯正装着具において、
上記本体が、折りたたみ可能に構成されている。
【００１２】
加えてまた、別の態様のスイング矯正装着具において、
上記本体が、分割可能に構成されている。
【発明の効果】
【００１３】
本発明に係るスイング矯正装着具を装着すれば、両肘の間の距離が略一定に保たれつつ、インパクト時に引き手（飛球方向側の手）の甲が飛球方向に向くように手首が固定された状態で維持され、肘が略伸ばされている良好なスイングを行うことができる。
【発明を実施するための最良の形態】
【００１４】
本発明に係るスイング矯正装着具を図１に示し、また図１に示すスイング矯正装着具の装着状態を図２に示す。また、図２に示す装着者の姿勢は、良好なスイングの姿勢（両腕の姿勢）を示している。ここで言うスイングは、テイクバック動作とフィニッシュ動作を除いたその間の動作を言う。
【００１５】
スイング矯正装着具１０は、概略、図２に示すように良好なスイングにおいてボールのインパクト時に形成される両腕と胴体で囲まれる概三角形状の間隙を維持する本体１２と、両腕の上腕の概中央部の内側と対応する本体部分との当接を維持する上腕用固定具１４Ｌ、１４Ｒと、下腕の概中央部の内側と対応する本体部分との当接を維持する下腕用固定具１６Ｌ、１６Ｒとで構成される。ここで、「本体１２がボールのインパクト時に形成される両腕と胴体で囲まれる概三角形状の間隙を維持する」とは、該間隙が小さくならないように両肘の接近を防止することを言う。本明細書中、符号に付されるＬ、Ｒは左腕用、右腕用を示す。
【００１６】
具体的には、本体１２は、左右対称の概台形状（上底および下底の中点を結ぶ線において対称）の板部材であって、外側に向かって凸に僅かに長手方向に湾曲する側面（以下、「腕当接面」と称する。）１８Ｌ、１８Ｒを有する。各腕当接面１８Ｌ、１８Ｒは、図２に示すように、装着時、対応する腕の脇から手首近傍（手首は含まない）までの内側と当接する。これにより、本体１２は、手首の曲げを可能にしつつ、両腕の内側と当接して両肘の接近を防止する。また、腕当接面１８Ｌ、１８Ｒが、外側に向かって凸に僅かに長手方向に湾曲することにより、肘が完全に伸びた状態（すなわち、両腕に力が入ってりきんだときの状態）になることを防止する。
【００１７】
本体１２は、軽量で僅かながら弾性を有する材料、例えば発泡ポリエチレンから作製されている。本体１２はまた、腕との当接状態を維持するために腕当接面１８Ｌ、１８Ｒが大きくなるように、さらに、両腕に挟まれて変形しないように、ある程度の厚さ、例えば３〜４ｃｍの厚さで作製されている。
【００１８】
また、本体１２は、概台形状の下底に対応する部分に、装着者の胴体（厳密には、両脇を結ぶ線上の胴体部分）と当接するための本体外側に向かって凸に長手方向に湾曲した外縁部（以下、「胴当接部」と称する。）２０を有する。胴当接部２０が湾曲に形成されているため、スイング中において、胴当接部２０は装着者の胴体と全体で接触することなく一点で接触し（または一点で強く接触し）、その場所もスイング中に変わっていく。仮に胴当接部２０が湾曲でなく平面で形成されていると、装着者の胴体と全体で接触してスムーズなスイングを妨害する。なお、胴当接部２０は、本体外側に向かって凸に厚さ方向に湾曲していてもよい。
【００１９】
さらに、本体１２は、後述するようにベルト状の固定具１４Ｌ、１４Ｒを挿通するためのスリット状の穴２２Ｌ、２２Ｒを、装着時に上腕の概中央部に対向する位置に有する。同様に、固定具１６Ｌ、１６Ｒを挿通するためのスリット状の穴２４Ｌ、２４Ｒを、装着時に下腕の概中央部に対向する位置に有する。また、本体１２は、スイング矯正装着具１０の装着を補助するために首に掛けられる無端状の弾性の紐２６が設けられている（図２参照。）。
【００２０】
固定具１４Ｌ、１４Ｒ、１６Ｌ、１６Ｒの構成は同一であるため、１４Ｌの構成のみを説明する。
【００２１】
固定具１４Ｌは、伸縮自在なベルト状部材（例えば、ゴムベルト）から構成され、穴２２Ｌに挿通されている。固定具１４Ｌの一端には他端が挿通されるためのリング２８Ｌが設けられている。一方他端には面ファスナ３０Ｌが設けられ、固定具１４Ｌの一端と他端の間に設けられた面ファスナ３２Ｌと係合するようにしてある。固定具１４Ｌが、装着時、左の上腕の概中央部に巻回され、他端がリング２８Ｌに挿通されて折り返され、面ファスナ３０Ｌ、３２Ｌが係合されることにより、左腕の概中央部の内側と本体１２との当接が維持される。
【００２２】
同様に、固定具１４Ｒが右の上腕の概中央部の内側と本体１２との当接を維持し、固定具１６Ｌが左の下腕の概中央部の内側と本体１２との当接を維持し、固定具１６Ｒが右の下腕の概中央部の内側と本体１２との当接を維持する。
【００２３】
固定具１４Ｌ、１４Ｒ、１６Ｌ、１６Ｒは、対応する腕部分と本体１２との当接を維持することにより、ボールのインパクト時に形成される両腕と胴体で囲まれる概三角形状の間隙が大きくならないように維持している、言い換えると、脇が開いて両肘が離れることを防止している。
【００２４】
なお、固定具１４Ｌ、１４Ｒ、１６Ｌ、１６Ｒは、上腕の概中央部と下腕の概中央部に対して装脱着可能で伸縮自在な部材であればベルトでなくてもよく、例えば無端状のゴム紐であってもよい。
【００２５】
次に、スイング矯正装着具１０の装着方法を説明する。まず、スイング矯正装着具１０の本体１２に設けられた紐２６を首に掛ける。次に、固定具１４Ｌ、１４Ｒを対応する上腕の概中央部に巻回して面ファスナを介して係合することにより、各上腕を本体１２に固定する。続いて、固定具１６Ｌ、１６Ｒを対応する下腕の概中央部に巻回して面ファスナを介して係合することにより、各下腕を本体１２に固定する。これにより、スイング矯正装着具１０の装着が終了する。
【００２６】
続いて、スイング矯正装着具１０によるスイング矯正の効果を説明する。まず図２に示すようにアドレス開始時（ボールのインパクト時も含む）、すなわち、体正面から見て体の正面にクラブ５０のヘッド（図示せず）が位置する場合、両腕は、スイング矯正装着具１０により、良好なスイングにおけるボールのインパクト時に形成される両腕と胴体で囲まれる概三角形状の間隙が形成されるように矯正される。
【００２７】
このとき、間隙がスイング矯正装着具１０の本体１２によって小さくならないため（両肘が接近しないため）、窮屈なスイングになることが防止される。
【００２８】
また、間隙が固定具１４Ｌ、１４Ｒ、１６Ｌ、１６Ｒによって大きくならない（脇が開いて両肘が離れない）とともに本体１２が間隙に配置されてグリップ位置（クラブ５０を握る位置）が体に近づくのを防止しているため、言い換えると、グリップ位置（クラブ５０を握る位置）が体から遠くに配置されて維持されるため、スイングするとクラブ５０のヘッドに大きい遠心力を作用させることが可能になる。その結果、ボールを強く打つことができて飛行距離が伸びる。
【００２９】
さらに、腕当接面１８Ｌ、１８Ｒの僅かな湾曲により、肘が完全に伸びた状態（すなわち、両腕に力が入ってりきんだ状態）にならない。したがって、りきまず良好なスイングでボールを撃つことができる。
【００３０】
さらにまた、本体１２が左右対称の概台形形状であるため、スイング中、グリップ位置が体の正面の略中央と対向する位置で維持される。その結果、腰の回転に対してグリップ位置が遅れてくる（スイング中、グリップ位置が体の正面になく、飛球方向と逆にある）、いわゆる振り遅れが防止される。
【００３１】
加えて、スイング矯正装着具１０の本体１２の腕当接面１８Ｌ、１８Ｒに両腕の内面が当接した状態で維持されているため、固定具１４Ｌ、１４Ｒ、１６Ｌ、１６Ｒが伸縮自在であるものの、両腕の内側同士は略対向して維持される。そのため、ボールのインパクト時に引き手の甲は飛球方向に略向くことになる（特許文献１のスイング矯正装着具は下腕の内側同士が対向するように矯正されないため、上腕に対して下腕が捻れて引き手の甲がインパクト時に飛球方向に向かないことがある。）。
【００３２】
次に、テイクバック動作時における効果を説明する。図３は、スイング矯正装着具１０を装着した状態でテイクバックした状態を示している。
【００３３】
テイクバック動作時、両肘はスイング時に比べて曲げる必要がある。肘は、該肘がスイング矯正装着具１０の本体１２に対して固定されておらず、また本体１２が僅かながら弾性を有し、さらに固定具１４Ｌ、１４Ｒ、１６Ｌ、１６Ｒが伸縮自在のベルトで捻れることが可能なことにより、曲げることが可能である。曲げることが可能であるけれども、本体１２と固定具１４Ｌ、１４Ｒ、１６Ｌ、１６Ｒにより、両肘の距離は略一定に保たれる。この状態で、クラブ５０を振り下ろせば、そのまま良好なスイングに移行できる。
【００３４】
テイクバック動作と同様に、図４に示すようなフィニッシュ動作時においても両肘を曲げることが可能である。
【００３５】
このように、スイング矯正装着具１０は、アドレス開始から、テイクバック、スイング、フィニッシュまでの連続動作を行うことができる構成を有している。
【００３６】
上記の実施形態以外でも同一の機能を有する（同一の効果を発揮する）スイング矯正装着具を構成することが可能である。原理的に言えば、上記の実施形態と同機能を有するスイング矯正装着具は、良好なスイングにおけるボールのインパクト形成される両腕と胴体で囲まれる略三角形状の間隙を少なくとも各上腕の概中央部及び各下腕の概中央部と当接することにより維持する本体と、各上腕の概中央部と対応する本体部分との当接を維持する固定具と、各下腕の概中央部と対応する本体部分との当接を維持する固定具とを備えていれば、種々の形態で構成することができる。例えば、本体は、両腕と接触する腕当接面を備えていれば板状でなく、枠状に形成してもよい。
【００３７】
また、スイング矯正装着具の本体を、収納を考慮して折りたたみ可能に構成してもよい。図５は、折りたたみ可能な本体を有するスイング矯正装着具を示している。図に示すようにスイング矯正装着具１１０の本体１１２は、２つの本体部材１１２ａ、１１２ｂから構成される。２つの本体部材１１２ａ、１１２ｂは、それぞれの面１６０ａ、１６０ｂに張り合わされたシート部材１６２によって連結されている。シート部材１６２は蝶番として、本体部材１１２ａの端面１６４ａと本体部材１１２ｂの端面１６４ｂを接触させるまたは離す役割を果たす。端面１６４ａと１６４ｂとが当接したとき（二点鎖線で示される状態に本体部材１１２ａが１１２ｂに対して配置されたとき）、上記の実施形態の本体１２と同一になる。言い換えると、スイング矯正装着具１１０は、上記の実施形態の本体１２が一方向に折りたたみ可能に構成したものと言える。
【００３８】
スイング矯正装着具１１０は、本体部材１１２ａと１１２ｂの面１６０ａと１６０ｂが装着者側に向いて状態で装着される。このように装着すれば、スイング中にスイング矯正装着具１１０の本体１１２はシート部材１６２により折れることはない。肘が逆方向に曲がらないためである。また、スイング中に本体１１２が折れることを完全に防止するために、例えば、端面１６４ａと１６４ｂに面ファスナを設けて係合させてもよい。これにより、スイング練習終了後、折りたたんでスイング矯正装着具を収納できる。
【００３９】
さらに、スイング矯正装着具の本体を、スイング練習以外の動作を考慮して分割可能に構成してもよい。図６は、分割可能な本体を有するスイング矯正装着具を示している。図に示すように、スイング矯正装着具２１０の本体２１２は、２つの本体部材２１２ａ、２１２ｂから構成される。言い換えると、本体２１２は、右腕に本体部材２１２ａが固定されつつ、左腕に本体部材２１２ｂが固定された状態で分割可能に構成されている。
【００４０】
例えば、本体２１２は、本体部材２１２ａの端面２６６ａと本体部材２１２ｂの端面２６６ｂが面ファスナによって係合することにより形成される。又、本体２１２（２１２ａ、２１２ｂ）の中央部は、端面２６６ａと２６６ｂとの接触面を大きくするために腕当接面２１８Ｌ、２１８Ｒより厚く形成されている。これにより、スイング練習中において両腕を自由な状態で使用したいとき、面ファスナの係合を解除して本体部材２１２ａと２１２ｂに分割すれば、両腕は離れて自由になる。
【図面の簡単な説明】
【００４１】
【図１】本発明に係るゴルフのスイング矯正装着具を示す図である。
【図２】図１のスイング矯正装着具を装着した装着者を示す図である。
【図３】図１のスイング矯正装着具を装着した状態でテイクバック動作中の装着者を示す図である。
【図４】図１のスイング矯正装着具を装着した状態でフィニッシュ動作中の装着者を示す図である。
【図５】別の形態のスイング矯正装着具を示す図である。
【図６】さらに別の形態のスイング矯正装着具を示す図である。
【符号の説明】
【００４２】
１０  スイング矯正装着具、
１２  本体
１４Ｌ、１４Ｒ  上腕用固定具
１６Ｌ、１６Ｒ  下腕用固定具
【図１】
2006262992.tif 000003
【図２】
2006262992.tif 000004
【図３】
2006262992.tif 000005
【図４】
2006262992.tif 000006
【図５】
2006262992.tif 000007
【図６】
2006262992.tif 000008